(57)【要約】【課題】省エネルギ化を図ると共に、適切な吹出し温度が得られる外調機を提供する。【解決手段】室内空気をデシカント７Ａ，７Ｂで除湿し、この低湿になった室内空気と、室内に導入する室外空気とを全熱交換器５Ａ，５Ｂで全熱交換させて、室内空気と同等の絶対湿度の室外空気を得て室内に導入する外調機１Ａ，１Ｂにおいて、室内空気を冷却する冷却手段６Ａ，６Ｂをデシカントの上流に配置すると共に、デシカントの再生用空気を加熱する加熱手段８Ａ，８Ｂを備え、室外空気の絶対湿度に応じて、冷却手段および／または加熱手段の運転を制御する。【選択図】図２
2010255970.tif 000002
【特許請求の範囲】
【請求項１】
室内空気をデシカントで除湿し、低湿になった室内空気と、室内に導入する室外空気とを全熱交換器で全熱交換させて、室内空気と同等の絶対湿度の室外空気を得て室内に導入する外調機において、
室内空気を冷却する冷却手段をデシカントの上流に配置すると共に、前記デシカントの再生用空気を加熱する加熱手段を備え、
前記室外空気の絶対湿度に応じて、前記加熱手段の運転を制御する制御手段を備えたことを特徴とする外調機。
【請求項２】
前記制御手段は、室外空気の絶対湿度が低く、乾球温度が室内設定条件よりも高い場合、および、室外空気の絶対湿度が高く、相対湿度が室内設定条件よりも低い場合、前記加熱手段の運転を停止することを特徴とする請求項１に記載の外調機。
【請求項３】
室内空気をデシカントで再生し、高湿になった室内空気と、室内に導入する室外空気とを全熱交換器で全熱交換させて、室内空気と同等の絶対湿度の室外空気を得て室内に導入する外調機において、
室内空気を加熱する加熱手段をデシカントの上流に配置すると共に、前記デシカントの再生用空気を冷却する冷却手段を備え、
前記室外空気の絶対湿度に応じて、前記冷却手段の運転を制御する制御手段を備えたことを特徴とする外調機。
【請求項４】
前記制御手段は、室外空気の絶対湿度が高く、乾球温度が室内設定条件よりも低い場合、および、室外空気の絶対湿度が低く、相対湿度が室内設定条件よりも高い場合、前記冷却手段の運転を停止することを特徴とする請求項３に記載の外調機。
【請求項５】
圧縮機および室外側熱交換器を有する室外機と、第１熱交換器と、第２熱交換器とを有し、これらを冷媒ユニット間配管により接続し、前記室外熱交換器を、前記圧縮機の吐出管と吸込管とに室外側切換弁を介して分岐接続すると共に、前記冷媒ユニット間配管を、前記吐出管と分岐接続された高圧ガス管と、前記吸込管と分岐接続された低圧ガス管と、前記室外側熱交換器と接続された液管とで構成し、前記第１熱交換器と前記第２熱交換器とを、前記高圧ガス管と前記低圧ガス管とには室内側切換弁を介して分岐接続すると共に、前記液管には冷媒減圧器を介して接続したヒートポンプ装置と、
室内空気を前記第１熱交換器で冷却し、デシカントで除湿し、全熱交換器で、低湿になった室内空気と、室内に導入する室外空気とを全熱交換させると共に、該室内空気を、前記第２熱交換器で加熱し、前記デシカントを再生して外部に排出することで、室内空気と同等の絶対湿度の室外空気を得て室内に導入する外調機と
を備えたことを特徴とする外調システム。
【請求項６】
圧縮機および室外側熱交換器を有する室外機と、第１熱交換器と、第２熱交換器とを有し、これらを冷媒ユニット間配管により接続し、前記室外熱交換器を、前記圧縮機の吐出管と吸込管とに室外側切換弁を介して分岐接続すると共に、前記冷媒ユニット間配管を、前記吐出管と分岐接続された高圧ガス管と、前記吸込管と分岐接続された低圧ガス管と、前記室外側熱交換器と接続された液管とで構成し、前記第１熱交換器と前記第２熱交換器とを、前記高圧ガス管と前記低圧ガス管とには室内側切換弁を介して分岐接続すると共に、前記液管には冷媒減圧器を介して接続したヒートポンプ装置と、
室内空気を前記第１熱交換器で加熱し、デシカントを再生し、全熱交換器で、高湿になった室内空気と、室内に導入する室外空気とを全熱交換させると共に、該室内空気を前記第２熱交換器で冷却し、前記デシカントで除湿して外部に排出することで、室内空気と同等の絶対湿度の室外空気を得て室内に導入する外調機と
を備えたことを特徴とする外調システム。
【請求項７】
前記室外空気の絶対湿度に応じて、第１熱交換器または第２熱交換器の運転を制御する制御手段を備えたことを特徴とする請求項５または６に記載の外調システム。
【請求項８】
前記ヒートポンプ装置に複数台の外調機を接続したことを特徴とする請求項５ないし７のいずれか一項に記載の外調システム。
【発明の詳細な説明】
【技術分野】
【０００１】
本発明は、全熱交換器で全熱交換させて、室内空気と同等の絶対湿度の室外空気を得て室内に導入する外調機および外調システムに関する。
【背景技術】
【０００２】
一般に、室内空気をデシカントロータにより除湿または再生し、低湿または高湿になった室内空気と、室内に導入する室外空気とを全熱交換器で全熱交換させて、室内空気と同等の絶対湿度の室外空気を得て、室内に導入するようにした外調機が知られている（例えば、特許文献１参照）。
【特許文献１】特開平１０−２０５８１４号公報
【発明の開示】
【発明が解決しようとする課題】
【０００３】
しかしながら、従来の構成では、上述した外調機を、外気の絶対湿度や、乾球温度と無関係に運転させているため、外気処理に要するエネルギを無駄にすると共に、適切な吹出し温度を供給できない恐れがある。
そこで、本発明の目的は、さらなる省エネルギ化を図ると共に、適切な吹出し温度が得られる外調機および外調システムを提供することにある。
【課題を解決するための手段】
【０００４】
本発明は、室内空気をデシカントで除湿し、低湿になった室内空気と、室内に導入する室外空気とを全熱交換器で全熱交換させて、室内空気と同等の絶対湿度の室外空気を得て室内に導入する外調機において、室内空気を冷却する冷却手段をデシカントの上流に配置すると共に、前記デシカントの再生用空気を加熱する加熱手段を備え、前記室外空気の絶対湿度に応じて、前記加熱手段の運転を制御する制御手段を備えたことを特徴とする。
この場合において、前記制御手段は、室外空気の絶対湿度が低く、乾球温度が室内設定条件よりも高い場合、および、室外空気の絶対湿度が高く、相対湿度が室内設定条件よりも低い場合、前記加熱手段の運転を停止してもよい。
この発明では、例えば外気の絶対湿度が室内設定条件よりも低い場合、全熱交換器、冷却器、加熱器、及びデシカントロータ等が全停止される。普通換気で足りるからである。また、例えば外気の絶対湿度が低く、乾球温度が、室内設定条件よりも高い場合、加熱器、及びデシカントロータが停止される。デシカント運転が必要ないからである。外気の絶対湿度が高く、相対湿度が、室内設定条件よりも低い場合には、加熱器が停止される。冷却によるデシカント運転のみで良いからであり、状況によっては、冷却無しによるデシカント運転のみも有り得る。外気の絶対湿度が高く、相対湿度が、室内設定条件よりも高い場合、全熱交換器等がすべて運転される。再生を必要とするデシカント運転が必要だからである。これらの一時的な運転停止によって、省エネルギ化を図ると共に、適切な吹出し温度が得られる。
【０００５】
また、室内空気をデシカントで再生し、高湿になった室内空気と、室内に導入する室外空気とを全熱交換器で全熱交換させて、室内空気と同等の絶対湿度の室外空気を得て室内に導入する外調機において、室内空気を加熱する加熱手段をデシカントの上流に配置すると共に、前記デシカントの再生用空気を冷却する冷却手段を備え、前記室外空気の絶対湿度に応じて、前記冷却手段の運転を制御する制御手段を備えてもよい。
前記制御手段は、室外空気の絶対湿度が高く、乾球温度が室内設定条件よりも低い場合、および、室外空気の絶対湿度が低く、相対湿度が室内設定条件よりも高い場合、前記冷却手段の運転を停止してもよい。
暖房時も冷房時と同様に、一時的な運転停止によって、省エネルギ化を図ると共に、適切な吹出し温度が得られる。
【０００６】
圧縮機および室外側熱交換器を有する室外機と、第１熱交換器と、第２熱交換器とを有し、これらを冷媒ユニット間配管により接続し、前記室外熱交換器を、前記圧縮機の吐出管と吸込管とに室外側切換弁を介して分岐接続すると共に、前記冷媒ユニット間配管を、前記吐出管と分岐接続された高圧ガス管と、前記吸込管と分岐接続された低圧ガス管と、前記室外側熱交換器と接続された液管とで構成し、前記第１熱交換器と前記第２熱交換器とを、前記高圧ガス管と前記低圧ガス管とには室内側切換弁を介して分岐接続すると共に、前記液管には冷媒減圧器を介して接続したヒートポンプ装置と、室内空気を前記第１熱交換器で冷却し、デシカントで除湿し、全熱交換器で、低湿になった室内空気と、室内に導入する室外空気とを全熱交換させると共に、該室内空気を、前記第２熱交換器で加熱し、前記デシカントを再生して外部に排出することで、室内空気と同等の絶対湿度の室外空気を得て室内に導入する外調機とを備えてもよい。
【０００７】
圧縮機および室外側熱交換器を有する室外機と、第１熱交換器と、第２熱交換器とを有し、これらを冷媒ユニット間配管により接続し、前記室外熱交換器を、前記圧縮機の吐出管と吸込管とに室外側切換弁を介して分岐接続すると共に、前記冷媒ユニット間配管を、前記吐出管と分岐接続された高圧ガス管と、前記吸込管と分岐接続された低圧ガス管と、前記室外側熱交換器と接続された液管とで構成し、前記第１熱交換器と前記第２熱交換器とを、前記高圧ガス管と前記低圧ガス管とには室内側切換弁を介して分岐接続すると共に、前記液管には冷媒減圧器を介して接続したヒートポンプ装置と、室内空気を前記第１熱交換器で加熱し、デシカントを再生し、全熱交換器で、高湿になった室内空気と、室内に導入する室外空気とを全熱交換させると共に、該室内空気を前記第２熱交換器で冷却し、前記デシカントで除湿して外部に排出することで、室内空気と同等の絶対湿度の室外空気を得て室内に導入する外調機とを備えてもよい。
前記室外空気の絶対湿度に応じて、第１熱交換器または第２熱交換器の運転を制御する制御手段を備えてもよいし、ヒートポンプ装置に複数台の外調機を接続してもよい。
【０００８】
これらの構成によると、例えば一系統のヒートポンプ装置により、一方を外調機の加熱手段として、他方を外調機の冷却手段として利用しつつ、加熱手段、冷却手段の一方のみの運転を停止する制御が可能になる。
【発明の効果】
【０００９】
本発明では、暖房時も冷房時も、冷却手段または加熱手段の運転を制御することで、省エネルギ化が図れ、適切な吹出し温度が得られる。
【発明を実施するための最良の形態】
【００１０】
以下、本発明の一実施の形態を図面に基づき説明する。
図１は、空調システムの概略系統図を示す。８０は、室内空間を示し、該室内空間８０は公知のヒートポンプ空調機８１で空調される。
ヒートポンプ空調機８１は、室外機８２と室内機８３を冷媒配管８４で接続して構成される。室外機８２には、図示を省略した圧縮機、室外熱交換器、室外ファン等が収納され、室内機８３には、室内熱交換器８５、室内ファン８６等が収納され、室内熱交換器８５で空調された空気がダクト８７を介して室内空間８０に送風される。ＲＣ１は、ヒートポンプ空調機８１のリモートコントローラを示す。
【００１１】
１は、外調機を示す。該外調機１には、詳細を図２で説明するが、室内空気を室外に排気する排気経路Ａと、外気を室内に導入する導入経路Ｂとが交差して設けられる。排気経路Ａは、室内空間８０の排気取出口８０ＲＡと、外への排気口８０ＥＡとを接続し、室内空気ＲＡを取り入れて、外へ排気ＥＡするサイクルを形成する。
導入経路Ｂは、外気の導入口８０ＯＡと室内空間８０への給気口８０ＳＡとを接続し、外気ＯＡを取り入れて処理して室内に給気ＳＡするサイクルを形成する。排気経路Ａ及び導入経路Ｂ間には、両方の経路に跨って全熱交換器５が設けられ、排気経路Ａには、外に捨てる室内空気を冷却する第１熱交換器（以下、冷却器）６と、デシカントロータ７と、全熱交換器５を経た室内空気を加熱する第２熱交換器（以下、加熱器）８とが順に設けられ、加熱器８を経た空気が、デシカントロータ７を再生して外に排気される。２１は、冷却器６、および加熱器８に冷媒配管で接続されたヒートポンプ装置を示し、ＲＣ２は、ヒートポンプ装置２１を制御するためのリモートコントローラを示す。
【００１２】
つぎに、図２を参照し、外調機１Ａ，１Ｂを詳述する。本構成では、ヒートポンプ装置２１に、２台の外調機１Ａ，１Ｂが接続される。各外調機１Ａ，１Ｂには、室内空気を室外に排気する排気ファン２Ａ，２Ｂを含む排気経路Ａと、外気を室内に導入する導入ファン３Ａ，３Ｂを含む導入経路Ｂが交差して設けられている。
排気経路Ａは、室内空間の排気取出口（ＲＡ）と、外への排気口（ＥＡ）とを接続し、室内空気ＲＡを取り入れて、外へ排気ＥＡするサイクルを形成する。導入経路Ｂは、外気の導入口（ＯＡ）と室内空間への給気口（ＳＡ）とを接続し、外気ＯＡを取り入れて処理して室内に給気ＳＡするサイクルを形成する。排気経路Ａ及び導入経路Ｂ間には、両方の経路に跨って全熱交換器５Ａ，５Ｂが設けられている。また、排気経路Ａには、外に捨てる室内空気を冷却する冷却器６Ａ，６Ｂと、デシカントロータ７Ａ，７Ｂと、全熱交換器５Ａ，５Ｂを経た室内空気を加熱する加熱器８Ａ，８Ｂとが順に設けられ、加熱器８Ａ，８Ｂを経た空気が、デシカントロータ７Ａ，７Ｂを再生する。
【００１３】
上記冷却器６Ａ，６Ｂおよび上記加熱器８Ａ，８Ｂは、それぞれヒートポンプ装置２１に冷媒配管で接続されている。
ヒートポンプ装置２１は、室外機１９と、この室外機１９に３本配管のユニット間配管１７を介して接続された冷却器６Ａ，６Ｂおよび加熱器８Ａ，８Ｂとを有して構成されている。上記室外機１９において、並列接続した２台の圧縮機４７Ａ，４７Ｂの吐出管４２には、切換弁４６Ａ，４６Ｂを介して、２台の室外側熱交換器４８Ａ，４８Ｂが並列に接続され、これら室外側熱交換器４８Ａ，４８Ｂには、それぞれ室外側膨張弁４９Ａ，４９Ｂを介して、レシーバタンク５０が接続されている。
【００１４】
このレシーバタンク５０には、ユニット間配管１７の液管１７Ａを介して、外調機側膨張弁５２Ａ、及び加熱器８Ａ，８Ｂが接続されるとともに、外調機側膨張弁５２Ｂ、及び冷却器６Ａ，６Ｂが接続されている。
上記加熱器８Ａ，８Ｂは、第１分岐管５４Ａ、及び切換弁５５を介して、ユニット間配管１７の高圧ガス管１７Ｂに接続されるとともに、第２分岐管５４Ｂ、及び切換弁５６を介して、ユニット間配管１７の低圧ガス管１７Ｃに接続されている。また、上述した冷却器６Ａ，６Ｂは、第３分岐管５１Ａ、及び切換弁５７を介して、ユニット間配管１７の高圧ガス管１７Ｂに接続されるとともに、第４分岐管５１Ｂ、及び切換弁５８を介して、ユニット間配管１７の低圧ガス管１７Ｃに接続されている。
そして、上述した高圧ガス管１７Ｂは、圧縮機４７Ａ，４７Ｂの吐出管４２に分岐接続され、低圧ガス管１７Ｃは、圧縮機４７Ａ，４７Ｂの吸込管５９に分岐接続され、この吸込管５９は、切換弁６０Ａ，６０Ｂを介して、室外側熱交換器４８Ａ，４８Ｂに接続されるとともに、アキュムレータ６１を介して、圧縮機４７Ａ，４７Ｂの各吸込口（図示せず）に接続されている。
【００１５】
つぎに、外調機１Ａ，１Ｂの冷房時の動作を説明する。
なお、冷房時において、室内空間８０はヒートポンプ空調機８１で冷房され、外調機１Ａ，１Ｂは、専ら室内空間８０に調温、調湿した外気を取り入れる。
この際、ヒートポンプ装置２１は、コントローラ（不図示）の制御下で、冷却器６Ａ，６Ｂを蒸発器として動作し、加熱器８Ａ，８Ｂを凝縮器として動作させる。すなわち、図２を参照し、室外機１９側の切換弁６０Ａ，６０Ｂを閉じ、外調機１Ａ，１Ｂ側の切換弁５６，５７を閉じ、その他の切換弁４６Ａ，４６Ｂ，４９Ａ，４９Ｂ，５５，５８を開いて、上記圧縮機４７Ａ，４７Ｂを起動する。すると、圧縮機４７Ａ，４７Ｂから吐出された冷媒が、実線矢印で示すように、吐出管４２、高圧ガス管１７Ｂに流入し、切換弁５５を経て、加熱器８Ａ，８Ｂに流入し、ここで凝縮して放熱し、外調機側膨張弁５２Ａを経て、液管１７Ａに流入する。
【００１６】
一方、圧縮機４７Ａ，４７Ｂからの冷媒の一部が、吐出管４２、及び切換弁４６Ａ，４６Ｂを介して、室外側熱交換器４８Ａ，４８Ｂに流入し、ここで凝縮して、室外側膨張弁４９Ａ，４９Ｂ、レシーバタンク５０を介してユニット間配管１７の液管１７Ａに流入する。そして、液管１７Ａの合流点Ａで、加熱器８Ａ，８Ｂを環流し液管１７Ａを流れる冷媒と合流して、外調機側膨張弁５２Ｂ、及び冷却器６Ａ，６Ｂに循環し、ここで蒸発して吸熱し、蒸発したガス冷媒は、第４分岐管５１Ｂ、及び切換弁５８を介して、ユニット間配管１７の低圧ガス管１７Ｃに流入し、アキュムレータ６１を経て、圧縮機４７Ａ，４７Ｂの各吸込口に戻される。
【００１７】
図３は、乾球温度と相対湿度の関係を示す。
室内からの排気空気ＲＡは、排気経路Ａに従い、排気ファン２Ａ，２Ｂに吸引され、昇圧されてヒートポンプの冷却器６Ａ，６Ｂに送られ、１５〜２０℃まで冷却される（図３の状態Ｒ）。冷却された排気空気はデシカントロータ７Ａ，７Ｂを通過して、等エンタルピ過程で水分を吸着され絶対湿度が低下する（図３の状態Ｓ）。
湿度が低下した排気空気は全熱交換器５Ａ，５Ｂに至り、ここで外気（図３の状態Ｋ）と全熱交換して、全熱交換器５Ａ，５Ｂの公知の状態変化過程の通り状態Ｋと状態Ｓを結ぶ直線上に沿って状態変化して、エンタルピが上昇し温度および絶対湿度が増加する（図３の状態Ｔ）。全熱交換器５Ａ，５Ｂを出た排気空気はヒートポンプの加熱器８Ａ，８Ｂに送られ、４５〜６０℃まで加熱され、相対湿度が低下する（図３の状態Ｕ）。
相対湿度が低下した排気空気は、デシカントロータ７Ａ，７Ｂの再生空気側に流入してデシカントロータの水分を除去する（脱湿再生：状態Ｖ）。
デシカントロータ７Ａ，７Ｂを通過した排気空気は、外への排気口（ＥＡ）を経て、排気として外部に捨てられる。
【００１８】
一方、導入される空気ＯＡ（図３の状態Ｋ）は、導入ファン３Ａ，３Ｂに吸引され、昇圧されて全熱交換器５Ａ，５Ｂに至り、ここで排気空気（状態Ｓ）と全熱交換して、全熱交換器５Ａ，５Ｂの公知の状態変化過程の通り状態Ｋと状態Ｓを結ぶ直線上に沿って状態変化して、エンタルピが減少し温度および絶対湿度が低下する（状態Ｌ）。
エンタルピが減少し除湿冷却された空気（状態Ｌ）は、給気口（ＳＡ）を経て室内空間に供給される。このようにして得られる導入空気（給気：状態Ｌ）は、エンタルピ及び絶対湿度を室内空間よりも低くできる。すなわち、導入空気（給気：状態Ｌ）と室内空間（状態Ｑ）との間に、エンタルピ差Δｈおよび絶対湿度差Δｘを生じさせることが可能で、これによって、室内空間に水分を持ち込むことが防止され、エンタルピ差Δｈによって、冷房効果を発揮できる。
【００１９】
このように構成された外調機１Ａ，１Ｂにおいて、冷却器６Ａ，６Ｂでは、排気空気を冷却し排気空気の顕熱を除去してエンタルピを低下させ外気（状態Ｋ）とのエンタルピ差を増大させる作用（エンタルピ差増大作用）をなし、さらに加熱器８Ａ，８Ｂでは、排気空気を加熱して相対湿度を低下させデシカント７Ａ，７Ｂを脱湿再生する作用をなす。この脱湿再生作用によってデシカント７Ａ，７Ｂは吸湿能力を回復し、冷却器６Ａ，６Ｂを出た状態Ｒの排気空気を状態Ｓまで除湿する作用をひきおこし、前記のエンタルピ差増大作用と併せて、全熱交換器５Ａ，５Ｂの入口の状態（状態Ｓ）を室内（状態Ｌ）よりも低温低湿に変化させることができる。
このヒートポンプの作用によって、排気空気を冷却し除去した熱を昇温して再び、デシカント７Ａ，７Ｂの再生に用いることができ、別々の加熱源、冷却熱源を用いる場合に比べ、高い省エネルギ効果が得られる。
この外調機１では、状態Ｑと状態Ｒのエンタルピ差に空気流量を乗じた熱量の冷凍効果を持ったヒートポンプで、室内への外気負荷を全て除去することができるが、本発明の外調機１を用いずに外気を導入した場合には状態Ｋと状態Ｑのエンタルピ差に空気流量を乗じた熱量の冷凍効果を持った冷凍機が必要になるため、その場合と比べても大幅な省エネルギ効果が得られる。
【００２０】
本実施の形態では、外気の絶対湿度に応じ、冷却器（冷却手段）６Ａ，６Ｂおよび加熱器（加熱手段）８Ａ，８Ｂの運転が制御される。この制御は、図１に示すコントローラＲＣ２からの指令で、ＣＰＵ（不図示）により実行される。
【００２１】
図４は、制御パターン（エリアＡ〜Ｄ）を示す。
（エリアＡ）
エリアＡでは、外気の絶対湿度、乾球温度は共に室内設定条件よりも低く、この場合には、普通換気でよいため、全熱交換器５Ａ，５Ｂ、冷却器６Ａ，６Ｂ、加熱器８Ａ，８Ｂ、及びデシカントロータ７Ａ，７Ｂが全停止（図４Ｂ）される。
（エリアＢ）
エリアＢでは、外気の絶対湿度は低く、乾球温度は室内設定条件よりも高いため、デシカント運転が必要なく、全熱交換器５Ａ，５Ｂ、冷却器６Ａ，６Ｂが運転され、加熱器８Ａ，８Ｂ、及びデシカントロータ７Ａ，７Ｂが停止（図４Ｂ）される。このときには、図２を参照し、加熱器８Ａ，８Ｂの切換弁５５が閉じられる。
（エリアＣ）
エリアＣでは、外気の絶対湿度は高く、相対湿度は室内設定条件よりも低く、乾いているため、再生のための加温を必要としない。したがって、冷却によるデシカント運転のみで良く、全熱交換器５Ａ，５Ｂ、冷却器６Ａ，６Ｂ、及びデシカントロータ７Ａ，７Ｂが運転され、加熱器８Ａ，８Ｂが停止（図４Ｂ）される。
状況によっては、冷却無しによるデシカント運転のみも有り得る。このときも、加熱器８Ａ，８Ｂの切換弁５５が閉じられる。
（エリアＤ）
エリアＤでは、外気の絶対湿度は高く、相対湿度は室内設定条件よりも高いため、全熱交換器５Ａ，５Ｂ、冷却器６Ａ，６Ｂ、加熱器８Ａ，８Ｂ、及びデシカントロータ７Ａ，７Ｂがすべて運転（図４Ｂ）される。デシカントロータ７Ａ，７Ｂの再生を必要とするデシカント運転が必要だからである。
【００２２】
上記構成では、冷却器６Ａ，６Ｂ、加熱器８Ａ，８Ｂのいずれか一方の運転を停止可能であるため、外気の絶対湿度応じて、いずれか一方の運転を停止すれば良く、外調機１Ａ，１Ｂで調温、調湿された外気を、室内空間８０に導入するに際して、適切な吹出し温度を維持できる。本構成では、加熱器８Ａ，８Ｂの運転停止を伴うが、この運転を停止するには、図２を参照し、加熱器８Ａ，８Ｂの切換弁５５を閉じることで簡単に達成できる。上記構成のヒートポンプ装置２１を利用したからである。
【００２３】
つぎに、外調機１Ａ，１Ｂの暖房時の動作を説明する。
なお、暖房時において、室内空間８０はヒートポンプ空調機８１で暖房され、外調機１Ａ，１Ｂは、専ら室内空間８０に調温、調湿した外気を取り入れる。
図５は、暖房運転時の冷媒回路を示す。
この際、ヒートポンプ装置２１は、コントローラ（不図示）の制御下で、第１熱交換器（以下、加熱器）６Ａ，６Ｂを凝縮器（デシカントの上流で室内空気を加熱する加熱手段）として動作し、第２熱交換器（以下、冷却器）８Ａ，８Ｂを蒸発器（デシカントの再生用空気を冷却する冷却手段）として動作させる。
【００２４】
すなわち、室外機１９側の切換弁６０Ａ，６０Ｂを閉じ、外調機１Ａ，１Ｂ側の切換弁５５，５８を閉じ、その他の切換弁４６Ａ，４６Ｂ，４９Ａ，４９Ｂ，５６，５７を開いて、上記圧縮機４７Ａ，４７Ｂを起動する。すると、圧縮機４７Ａ，４７Ｂから吐出された冷媒が、実線矢印で示すように、吐出管４２、及び切換弁４６Ａ，４６Ｂを介して、室外側熱交換器４８Ａ，４８Ｂに流入し、ここで凝縮して、室外側膨張弁４９Ａ，４９Ｂ、レシーバタンク５０を介してユニット間配管１７の液管１７Ａに流入する。一方、圧縮機４７Ａ，４７Ｂからの冷媒の一部が、吐出管４２、高圧ガス管１７Ｂに流入し、切換弁５７を経て、加熱器６Ａ，６Ｂに流入し、ここで凝縮、放熱し、外調機側膨張弁５２Ｂを経て、液管１７Ａに流入する。そして、液管１７Ａの合流点Ａで、レシーバタンク５０を経た冷媒と合流し、外調機側膨張弁５２Ａ、及び冷却器８Ａ，８Ｂに循環し、ここで蒸発して吸熱し、蒸発したガス冷媒は、第２分岐管５４Ｂ、及び切換弁５６を介して、ユニット間配管１７の低圧ガス管１７Ｃに流入し、アキュムレータ６１を経て、圧縮機４７Ａ，４７Ｂの各吸込口に戻される。
【００２５】
本実施の形態では、外気の絶対湿度に応じ、加熱器（加熱手段）６Ａ，６Ｂおよび冷却器（冷却手段）８Ａ，８Ｂの運転が制御される。この制御は、図１に示すコントローラＲＣ２からの指令で、ＣＰＵ（不図示）により実行される。
【００２６】
図６は、制御パターン（エリアＡ〜Ｄ）を示す。
（エリアＡ）
エリアＡでは、外気の絶対湿度、乾球温度が共に室内設定条件よりも高く、普通換気で足りるため、全熱交換器５Ａ，５Ｂ、冷却器８Ａ，８Ｂ、加熱器６Ａ，６Ｂ、及びデシカントロータ７Ａ，７Ｂが全停止（図６Ｂ）される。
（エリアＢ）
エリアＢでは、外気の絶対湿度が高く、乾球温度が室内設定条件よりも低いため、デシカント運転が必要なく、全熱交換器５Ａ，５Ｂ、加熱器６Ａ，６Ｂが運転され、冷却器８Ａ，８Ｂ、及びデシカントロータ７Ａ，７Ｂが停止（図６Ｂ）される。このとき、図５を参照し、冷却器８Ａ，８Ｂの切換弁５６が閉じられる。
（エリアＣ）
エリアＣでは、外気の絶対湿度が低く、相対湿度が、室内設定条件よりも高いため、再生のための加温を必要としないため、冷却によるデシカント運転のみで良く、全熱交換器５Ａ，５Ｂ、加熱器６Ａ，６Ｂ、及びデシカントロータ７Ａ，７Ｂが運転され、冷却器８Ａ，８Ｂが停止（図６Ｂ）される。このときも、図５を参照し、冷却器８Ａ，８Ｂの切換弁５６が閉じられる。
（エリアＤ）
エリアＤでは、外気の絶対湿度が低く、相対湿度が、室内設定条件よりも低いため、デシカントロータ７Ａ，７Ｂの再生を必要とするデシカント運転が必要であり、全熱交換器５Ａ，５Ｂ、冷却器８Ａ，８Ｂ、加熱器６Ａ，６Ｂ、及びデシカントロータ７Ａ，７Ｂがすべて運転（図６Ｂ）される。
【００２７】
上記構成では、冷却器６Ａ，６Ｂ、加熱器８Ａ，８Ｂのいずれか一方の運転を停止可能であるため、外気の絶対湿度応じて、いずれか一方の運転を停止すれば良く、外調機１Ａ，１Ｂで調温、調湿された外気を、室内空間８０に導入するに際し、適切な吹出し温度を維持できる。本制御では、冷却器８Ａ，８Ｂの運転停止を伴うが、この運転を停止するには、図５を参照し、冷却器８Ａ，８Ｂの切換弁５６を閉じることで簡単に達成できる。上記構成のヒートポンプ装置２１を利用したからである。
【００２８】
図７は、別の実施の形態を示す。なお、図７では、図１〜図６と同一部分には同一符号を付して示し、その説明を省略する。本実施の形態では、第１熱交換器６、および第２熱交換器８が、冷水または温水の循環式熱交換器であり、第１熱交換器６、および第２熱交換器８が、冷水機１２３、および温水機１２５に、冷水または温水配管１２４，１２６を介して接続されている。
そして、冷水機１２３、および温水機１２５は、冷房運転、暖房運転に応じ、第１熱交換器６、第２熱交換器８のいずれかに、冷水、または温水を供給自在に構成されている。この構成によれば、図４または図６の制御を、冷水機１２３、または温水機１２５のいずれかの運転停止で実現できる。
【００２９】
以上、一実施の形態に基づいて、本発明を説明したが、本発明は、これに限定されるものではない。例えば、上記実施の形態では、第１熱交換器６、第２熱交換器８の各熱源に、ヒートポンプ装置２１、冷水機１２３、温水機１２５を使用したが、図４または図６に示すように、熱源のいずれか一方の運転を停止できれば、これら熱源に限定されるものでないことは明らかである。
【図面の簡単な説明】
【００３０】
【図１】空調システムを示す説明図である。
【図２】本実施の形態による冷房時の冷媒回路図である。
【図３】乾球温度と絶対湿度の関係を示す図である。
【図４】Ａは、制御パターン（エリアＡ〜Ｄ）を示す図であり、Ｂは、冷却器、加熱器の停止機能を説明する図である。
【図５】本実施の形態による暖房時の冷媒回路図である。
【図６】Ａは、制御パターン（エリアＡ〜Ｄ）を示す図であり、Ｂは、冷却器、加熱器の停止機能を説明する図である。
【図７】別の実施の形態を示す図１対応図である。
【符号の説明】
【００３１】
１Ａ，１Ｂ  外調機
５Ａ，５Ｂ  全熱交換器
６Ａ，６Ｂ  第１熱交換器
７Ａ，７Ｂ  デシカントロータ
８Ａ，８Ｂ  第２熱交換器
２１  ヒートポンプ装置
１２３  冷水機
１２５  温水機
【図１】
2010255970.tif 000003
【図２】
2010255970.tif 000004
【図３】
2010255970.tif 000005
【図４】
2010255970.tif 000006
【図５】
2010255970.tif 000007
【図６】
2010255970.tif 000008
【図７】
2010255970.tif 000009